(57)【要約】  庫室内面が電波反射面で形成された函状の宅配ボックス（１０Ａ）は、電波反射面から離した状態で庫室（１３）内に設けられ、荷物（２）に付けられた無線ＩＤタグ（４）に記録された情報を読み取る無線読取装置（１８）と、庫室内面のうち少なくとも底面（１２ｂ）を構成する電波反射面の全面又は一部を覆って配置されている誘電体からなるスペーサ部材（２０）とを備える。
2019130643.tif 000002
【特許請求の範囲】
【請求項１】
庫室内面が電波反射面で形成された函状の宅配ボックスであって、  前記電波反射面から離した状態で庫室内に設けられ、庫室内収納物に付けられた無線ＩＤタグから情報を読み取る無線読取装置と、  前記庫室内面のうち少なくとも底面を構成する電波反射面の全面又は一部を覆って配置されている誘電体からなるスペーサ部材と、を備える、  宅配ボックス。
【請求項２】
前記スペーサ部材の厚みは、無線読取装置から出射される電波および無線ＩＤタグからの応答電波について、回析によって回り込む電波と前記電波反射面で反射して回り込む電波との干渉を抑制する厚みに設定される、請求項１に記載の宅配ボックス。
【請求項３】
前記無線読取装置が異なる向きで複数設けられている、請求項１又は２に記載の宅配ボックス。
【請求項４】
庫室内を仕切る誘電体からなる棚板が設けられ、前記棚板を取り付ける取付部の一部又は全部が前記スペーサ部材に形成されている、請求項１〜３のいずれか一項に記載の宅配ボックス。
【請求項５】
前記庫室内面に誘電体の断熱材が設けられている、請求項１〜４のいずれか一項に記載の宅配ボックス。
【請求項６】
複数の庫室が組み合わされて構成されている、請求項１〜５のいずれか一項に記載の宅配ボックス。
【発明の詳細な説明】
【技術分野】
【０００１】  本開示は、宅配ボックスに関する。
【背景技術】
【０００２】  近年、集合住宅や戸建住宅に宅配ボックスが設置されることがある。このような宅配ボックスがあることで、居住者は不在時でも荷物を受け取ることができ、宅配業者は居住者不在でも荷物を預け入れて配達済みとすることができるので再配達の手間が省け、両者にとって便利である。【０００３】  宅配ボックスの収納可能な荷物は１個に限定される場合がある。これは、１個の荷物を預け入れて扉を閉めると、居住者がその荷物を取り出すまでは扉を開くことができないようにして宅配ボックスを使用不能とすることで実現できる。このようにすれば、一度収納された荷物が居住者以外の者によって取り出されることを防止でき、防犯の観点から優れている。【０００４】  ただし、このような宅配ボックスでは、宅配業者が複数の荷物を同時に配達しようとした場合でも、１個だけしか預け入れできないために他の荷物は改めて配達する必要が生じ、配達効率が悪くなる。居住者にとっても、荷物の受け取り時期が分散して遅れることになり、不便に感じることがある。【０００５】  宅配ボックスに関するものではないが、例えば特許文献１には、ＲＦＩＤリーダを備えて管理ボックスを含む物品管理システムが開示されている。この物品管理システムでは、管理ボックス内に収納された物品に貼り付けられているＲＦＩＤタグから個体識別情報を庫室内に設けたＲＦＩＤリーダによって読み取り、この読み取った個体識別情報に含まれる個々の物品の重量の情報と管理ボックス全体の重量とに基づいて、管理ボックス内に収納された物品の管理を行うことが記載されている。
【先行技術文献】
【特許文献】
【０００６】
【特許文献１】特開２０１５−１５７７００号公報
【発明の概要】
【発明が解決しようとする課題】
【０００７】  宅配ボックスにおいても、上記特許文献１に記載されるように、庫室内に収納された複数の荷物にそれぞれ付されているＲＦＩＤタグから個体識別情報を読み取って収納状態を管理することにより、複数の荷物の預け入れを可能にすることが考えられる。その場合、庫室内に荷物がどのように収納された場合でも、各荷物に付されているＦＲＩＤタグから個体識別情報を正確に読み取り可能にすることが重要である。【０００８】  本開示の目的は、庫室内に収納された複数の収納物にそれぞれ付されている無線ＩＤタグから情報を正確に読み取ることができる宅配ボックスを提供することである。
【課題を解決するための手段】
【０００９】  本開示に係る宅配ボックスは、庫室内面が電波反射面で形成された函状の宅配ボックスであって、電波反射面から離した状態で庫室内に設けられ、庫室内収納物に付けられた無線ＩＤタグから情報を読み取る無線読取装置と、庫室内面のうち少なくとも底面を構成する電波反射面の全面又は一部を覆って配置されている誘電体からなるスペーサ部材とを備える。
【発明の効果】
【００１０】  本開示に係る宅配ボックスによれば、庫室内に収納された複数の収納物にそれぞれ付されている無線ＩＤタグから情報を正確に読み取ることができる。
【図面の簡単な説明】
【００１１】
【図１】第１実施形態の宅配ボックスを示す図である。
【図２】第２実施形態の宅配ボックスを示す図である。
【図３】（ａ）は第３実施形態の宅配ボックスを示す図であり、（ｂ）は（ａ）に示すスペーサ部材の斜視図である。
【図４】（ａ）第３実施形態の変形例の宅配ボックスの変形例を示す図であり、（ｂ）は（ａ）に示すスペーサ部材の斜視図である。
【図５】（ａ）第３実施形態の別の変形例の宅配ボックスを示す図であり、（ｂ）は（ａ）に示すスペーサ部材の斜視図である。
【図６】（ａ）〜（ｄ）はスペーサ部材の変形例を示す斜視図である。
【図７】第４実施形態の宅配ボックスを示す図である。
【図８】第５実施形態の宅配ボックスを示す図である。
【図９】第６実施形態の宅配ボックスを示す（ａ）正面図および（ｂ）Ａ−Ａ断面図である。
【図１０】第７実施形態の宅配ボックスを示す（ａ）正面図および（ｂ）Ｂ−Ｂ断面図である。
【図１１】第８実施形態の宅配ボックスを示す図である。
【図１２】第９実施形態の宅配ボックスを示す図である。
【図１３】第１０実施形態の宅配ボックスを示す（ａ）正面図および（ｂ）Ｃ−Ｃ断面図である。
【図１４】（ａ）は第１１実施形態の宅配ボックスを示す図であり、（ｂ）は第１２実施形態の宅配ボックスを示す図である。
【発明を実施するための形態】
【００１２】  以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１３】  図１は、第１実施形態の宅配ボックス１０Ａを示す図である。宅配ボックス１０Ａは、庫室内面が電波反射板で形成された函状を呈する。より詳しくは、宅配ボックス１０Ａは、例えば、鋼板等の金属板によって直方体状のボックスとして形成される。宅配ボックス１０Ａの庫室内面は、高さ方向Ｚに対向する上面１２ａおよび底面１２ｂと、幅方向Ｘに対向する側面１２ｃ，１２ｄと、奥行き方向Ｙにおいて上面１２ａ，底面（または下面）１２ｂおよび側面１２ｃ，１２ｄと一体に連結されている奥面１２ｅとを含む。これらの各面１２ａ−１２ｅは、金属板で構成されるため電波を反射する電波反射面となっている。また、これらの各面１２ａ−１２ｅによって、直方体状の収納空間である庫室１３が区画形成されている。
【００１４】  また、宅配ボックス１０Ａは、奥行き方向Ｙの手前側が開口しており、この開口が扉１４（図７参照）によって開閉自在に閉じられるようになっている。この扉１４もまた金属板によって構成されるため、庫室１３内の収納空間に面した扉内面１４ａもまた電波反射面となっている。
【００１５】  宅配ボックス１０Ａの庫室１３内には、無線読取装置１８が設けられている。無線読取装置１８は、庫室１３内に収納された荷物（庫室内収納物）２に付けられた無線ＩＤタグ４から個体識別情報を無線によって読み取る機能を有する。この個体識別情報が、本開示における情報に相当する。
【００１６】  無線読取装置１８は、庫室１３の上面１２ａに固定された取付部材１６の下面に配置されている。取付部材１６は、例えば、樹脂材料等の誘電体で構成されるのが好ましい。本実施形態では、取付部材１６は、庫室１３の上面１２ａの略全面を覆った板状部材で構成されている。無線読取装置１８は、例えば内蔵した電池の電力によって駆動されてもよいし、あるいは、外部から宅配ボックス１０Ａに引き込まれた図示しない電源線によって電力供給されることで駆動されてもよい。
【００１７】  このように無線読取装置１８が取付部材１６を介して庫室１３の上面１２ａに取り付けられることで、無線読取装置１８が金属板からなる上面１２ａから離した状態で設置することができ、その結果、荷物２に付された無線ＩＤタグ４から無線送信される個体識別情報を精度よく受信することができる。なお、取付部材１６は、後述するスペーサ部材と同じものを用いてもよい。
【００１８】  なお、取付部材１６は、板状部材に限定されるものではなく、金属板からなる上面１２ａから離れた状態で支持することができれば、どのような形状であってもよい。この場合でも、無線読取装置１８による受信性能を低下させないように例えば樹脂等の誘電体を用いて形成されるのが好ましい。
【００１９】  他方、本実施形態の宅配ボックス１０Ａでは、庫室１３の底面１２ｂ上には、スペーサ部材２０が配置されている。スペーサ部材２０は、例えば、樹脂、セラミックス、ガラス等の誘電体で構成され、底面１２ｂの略全体を覆って設けられている。
【００２０】  本実施形態のスペーサ部材２０は、板状部材として形成され、下面が庫室１３の底面１２ｂに接着等により固定されるとともに、上面が庫室１３に露出した状態になっている。図１では、宅配ボックス１０Ａの庫室１３内に、３つの荷物２がスペーサ部材２０上に積み重ねられて収納されている例を示す。この場合、最下位置にある荷物２は、その表面に付けられている無線ＩＤタグ４がスペーサ部材２０の上面に接触した状態で収納されている。無線ＩＤタグ４は、例えば、荷物２の表面に貼り付けられた送付伝票と一体に構成される。また、無線ＩＤタグ４には、例えば、発送管理番号等の個体識別情報が記憶されている。
【００２１】  スペーサ部材２０の厚みｔは、無線読取装置１８から出射される電波および無線ＩＤタグ４からの応答電波について、回析によって回り込む電波と電波反射面１２ａ−１２ｅで反射して回り込む電波との干渉を抑制することで無線ＩＤタグ４からの読み取り性能を向上させる厚みに設定されるのが好ましい。より詳しくは、スペーサ部材２０の厚みｔは、無線ＩＤタグ４の情報読み取りに使用される電波帯域１２０ｋＨｚ〜２．４５ＧＨｚの電波波長の半分以下であり、最も短い波長である２．４５ＧＨｚの波長１２２ｍｍの半分以下に設定されるのが好ましい。
【００２２】  上記の構成からなる本実施形態の宅配ボックス１０Ａでは、無線読取装置１８から放射された電波が庫室１３内に収納された荷物２に付けられている無線ＩＤタグ４に、直接に又は電波反射面である庫室１３の内面１２ａ−１２ｄで反射しながら到達する。各無線ＩＤタグ４は、この電波を受信することにより、予め記憶されている個体識別情報を発信する。そして、この個体識別情報は、無線読取装置１８によって、直接に又は電波反射面である庫室１３の内面１２ａ−１２ｄで反射した経路で受信する。
【００２３】  本実施形態の宅配ボックス１０Ａによれば、庫室１３の上部に設けた無線読取装置１８によって、庫室１３に収納された複数の荷物２にそれぞれ付けられている無線ＩＤタグ４から個体識別情報を正確に読み取ることができる。この場合、誘電体からなるスペーサ部材２０が庫室１３の底面１２ｂに配置されている。そのため、最下位置の荷物２が無線ＩＤタグを下に向けた状態で収納された場合でも、無線読取装置１８から放射された電波がスペーサ部材２０を透過して底面１２ｂで反射することにより無線ＩＤタグ４に到達することができる。その結果、最下位置の荷物２の収納状態にかかわらず個体識別情報の読み出しを行うことができる。
【００２４】  このようにして各荷物２の無線ＩＤタグ４から読み取られた各個体識別情報は、図示しない通信装置によって宅配ボックス１０Ａの外部に有線又は無線により送信される。具体的には、上記個体識別情報は、居住者の携帯端末（例えば、スマートフォン）や住宅情報盤等に送信され、宅配ボックス１０Ａに荷物２が届いたことを知らせることができる。また、上記個体識別情報は、宅配業者の携帯端末等に送信され、荷物２の配達完了記録として用いることができる。
【００２５】  図２は、第２実施形態の宅配ボックス１０Ｂを示す図である。以下では、第１実施形態の宅配ボックス１０Ａと同一構成に同一符号を付して、重複する説明を省略する。
【００２６】  第２実施形態の宅配ボックス１０Ｂは、底面１２ｂを覆って設けられるスペーサ部材２０に加えて、幅方向Ｘの一方の側面１２ｃにもスペーサ部材２２が設けられている。スペーサ部材２２は、底面１２ｂのスペーサ部材２０と略同様に構成することができる。なお、スペーサ部材２２は、庫室１３の他の内面１２ｄ，１２ｅにも設けてもよい。
【００２７】  本実施形態の宅配ボックス１０Ｂにおいても、第１実施形態の宅配ボックス１０Ａと同様の効果を奏することができる。また、本実施形態の宅配ボックス１０Ｂによれば、側面に無線ＩＤタグ４が付けられた荷物２が側面１２ｃに近接して収納された場合でも、側面１２ｃで電波が反射することで個体識別情報の読み取りを確実に行うことができる。
【００２８】  図３（ａ）は第３実施形態の宅配ボックス１０Ｃを示す図であり、図３（ｂ）はスペーサ部材２０を示す斜視図である。以下では、第１実施形態の宅配ボックス１０Ａと同一構成に同一符号を付して、重複する説明を省略する。
【００２９】  図３（ａ），（ｂ）に示すように、第３実施形態の宅配ボックス１０Ｃは、庫室１３の底面１２ｂを覆って設けられたスペーサ部材２０は、上面に複数の凸部２４ａが形成されている。これらの凸部２４ａは、基板２４ｂ上に一体に形成されている。各凸部２４ａは、奥行き方向Ｙに沿って細長く延びる直方体状をなしている。凸部２４ａと基板２４ｂとを一体に有するスペーサ部材２０は例えば樹脂、セラミックス、ガラス等の誘電体で形成されるが、樹脂材料を成型して製造するのが好ましい。本実施形態の宅配ボックス１０Ｃによっても、第１実施形態の宅配ボックス１０Ａと同様の効果を奏することができる。
【００３０】  図４（ａ）は第３実施形態の変形例の宅配ボックス１０Ｄを示す図であり、図４（ｂ）はスペーサ部材２０を示す斜視図である。以下では、第１および第３実施形態の宅配ボックス１０Ａ，１０Ｃと同一構成に同一符号を付して、重複する説明を省略する。
【００３１】  図４（ａ），（ｂ）に示すように、本実施形態の宅配ボックス１０Ｄにおいて、庫室１３の底面１２ｂの一部を覆って設けられたスペーサ部材２０は、複数の凸部２４ａで構成されている。すなわち、本実施形態におけるスペーサ部材２０は、基板２４ｂを有していない点で図３に示したスペーサ部材２０と相違する。図４に示すように、スペーサ部材２０を構成する各凸部２４ａは、幅方向Ｘに等間隔に配置されており、各凸部２４ａ間の溝には底面１２ｂが露出している。また、各凸部２４ａは、例えば接着等によって底面１２ｂ上に固定されている。本実施形態の宅配ボックス１０Ｄにおいても、上記第１実施形態と同様の効果を奏することができる。
【００３２】  図５（ａ）は第３実施形態の別の変形例の宅配ボックス１０Ｅを示す図であり、図５（ｂ）はスペーサ部材２０を示す斜視図である。以下では、第１および第４実施形態の宅配ボックス１０Ａ，１０Ｄと同一構成に同一符号を付して、重複する説明を省略する。
【００３３】  図５（ａ），（ｂ）に示すように、本実施形態の宅配ボックス１０Ｅは、庫室１３の底面１２ｂの一部を覆って設けられたスペーサ部材２０は、複数の凸部２４ａで構成されている。本実施形態の凸部２４ａは、図４に示した第４実施形態の宅配ボックス１０Ｄのスペーサ部材２０に比べて、幅が小さい直方体状に形成されているが、他の構成は同様である。本実施形態の宅配ボックス１０Ｅにおいても、上記第１実施形態と同様の効果を奏することができる。
【００３４】  図６（ａ）〜（ｄ）はスペーサ部材の変形例を示す斜視図である。図６（ａ）に示すように、スペーサ部材２０は、略立方体状をなす多数の凸部２４ａが基板２４ｂ上に分散した構成、より具体的には、例えばマトリックス状に配列された構成であってもよい。あるいは、スペーサ部材２０は、図６（ｂ）に示すように、多数の凸部２４ａだけが宅配ボックスの底面１２ｂ上に分散した構成、より具体的には例えばマトリックス状に配列された構成であってもよい。また、スペーサ部材２０は、図６（ｃ）に示すように、円柱状をなす多数の凸部２４ａが基板２４ｂ上に分散した構成、より具手的には例えばマトリックス状に配列された構成であってもよい。あるいは、スペーサ部材２０は、図６（ｄ）に示すように、円柱状をなす多数の凸部２４ａだけが宅配ボックスの底面１２ｂ上に分散した構成、より具体的には例えばマトリックス状に配列された構成であってもよい。
【００３５】  図７は、第４実施形態の宅配ボックス１０Ｆを示す図である。以下では、第１実施形態の宅配ボックス１０Ａと同一構成に同一符号を付して、重複する説明を省略する。
【００３６】  図７に示すように、宅配ボックス１０Ｆは、庫室１３の上面１２ａに固定した取付部材１６に通信機能を有する制御部３０が設けられている。制御部３０は、電線３２を介して扉１４の内面１４ａに設置された電子錠３４に接続されている。
【００３７】  電子錠３４は、閉じられた扉１４をロックする機能を有する。電子錠３４は、扉１４が閉じられてロック状態にあるとき、例えばカードキーを近接させるとカードキーに記憶されたＩＤ情報を読み取って制御部３０に送信する。そして、制御部３０によって当該カードキーが居住者等の所有するものであると認証されると、制御部３０は電子錠３４のロックを解除する。これにより、居住者は扉１４を開くことができる。
【００３８】  また、制御部３０には、宅配ボックス１０Ｆの外部から引き込まれた電源線３６および通信線３８が接続されている。電源線３６は、制御部３０に電力を供給する電力ケーブルである。通信線３８は、制御部３０に対して信号を入出力するための信号ケーブルである。制御部３０は、信号線３９を介して無線読取装置１８と接続されている。これにより、制御部３０は、無線読取装置１８によって各荷物２の無線ＩＤタグ４からそれぞれ読み取った個体識別情報を外部に送信することができる。その結果、上述したように、居住者のスマートフォンや宅配業者の携帯端末等に宅配ボックス１０Ｆ内の収納状態を通知することができる。なお、電源線３６および通信線３８は、ＰＬＣ通信方式により、電力線と通信回線とを１本の電源線で兼用した構成としてもよい。
【００３９】  本実施形態の宅配ボックス１０Ｆによっても第１実施形態の宅配ボックス１０Ａと同様の効果を奏することができる。
【００４０】  図８は、第５実施形態の宅配ボックス１０Ｇを示す図である。以下では、第１および図７実施形態の宅配ボックス１０Ａ，１０Ｆと同一構成に同一符号を付して、重複する説明を省略する。
【００４１】  図８に示すように、宅配ボックス１０Ｇの制御部３０は、内蔵した電池によって駆動されるとともに、無線通信機能を有する。したがって、本実施形態の宅配ボックス１０Ｇでは、外部から電源線および通信線を引き込む必要がなく、宅配ボックス１０Ｇの施工を容易に行うことができる。ただし、この場合でも外部から電力を供給する電源線を接続してもよい。
【００４２】  宅配ボックス１０Ｆの上面１２ａには制御部３０と対向する位置に開口が形成され、この開口を例えば樹脂等の誘電体からなる蓋部材４０で液密状に閉じている。これにより、制御部３０から外部への無線通信が可能になるとともに、外部から宅配ボックス１０Ｇ内への雨水等の浸入を防止することができる。
【００４３】  宅配ボックス１０Ｇの他の構成は、第１実施形態の宅配ボックス１０Ａと同様であり、同一の効果を奏することができる。
【００４４】  図９は、第６実施形態の宅配ボックス１０Ｈを示す（ａ）正面図および（ｂ）Ａ−Ａ断面図である。以下では、上述した各実施形態の宅配ボックス１０Ａ−１０Ｇと同一構成には同一符号を付して説明を省略する。
【００４５】  図９（ａ），（ｂ）に示すように、本実施形態の宅配ボックス１０Ｈは、複数庫を一体に組み合わせて構成される。具体的には、宅配ボックス１０Ｈは、２行２列で配列された４つの庫室１３を備えており、各庫室１３が第１実施形態の宅配ボックス１０Ａと同様の構成を備えている。
【００４６】  宅配ボックス１０Ｈの最上部には、各庫室１３とは分離された制御室４２が形成されており、この制御室４２内に制御部３０が設置されている。制御部３０は、宅配ボックス１０Ｈに含まれる４つの庫室１３に共通のものとして１つだけ設けられ、各庫室１３内に収納された荷物２の個体識別情報の管理、および、各庫室１３の扉１４の電子錠３４の認証などを一括して行う。
【００４７】  また、図９（ｂ）に示すように、宅配ボックス１０Ｈにおいて後部（すなわち奥行き方向Ｙにおいて扉１４とは反対側）には配線室４４が形成されており、この配線室４４内を介して電源線３６および通信線３８が配策されている。
【００４８】  本実施形態の宅配ボックス１０Ｈによっても、第１実施形態の宅配ボックス１０Ａと同様の効果を奏することができる。
【００４９】  図１０は、第７実施形態の宅配ボックス１０Ｉを示す（ａ）正面図および（ｂ）Ｂ−Ｂ断面図である。以下では、上述した各実施形態の宅配ボックス１０Ａ−１０Ｈと同一構成には同一符号を付して説明を省略する。
【００５０】  図１０（ａ），（ｂ）に示すように、宅配ボックス１０Ｉは、制御室４２および配線室４４を備える点は第６実施形態の宅配ボックス１０Ｈと同様である。ただし、本実施形態の宅配ボックス１０Ｉの制御部３０は無線通信機能を有する。そのため、外部から引き込まれる通信線が設けられていない点で第６実施形態の宅配ボックス１０Ｈとは異なる。なお、制御部３０に対向して天井面１５に開口を設け、この開口を蓋部材４０で閉鎖する点は第５実施形態の宅配ボックス１０Ｇと同様である。本実施形態の宅配ボックス１０Ｉによっても第１実施形態の宅配ボックス１０Ａと同様の効果を奏することができる。
【００５１】  図１１は、第８実施形態の宅配ボックス１０Ｊを示す図である。以下では、上述した各実施形態の宅配ボックス１０Ａ−１０Ｉと同一構成には同一符号を付して説明を省略する。
【００５２】  図１１に示すように、本実施形態の宅配ボックス１０Ｊは、複数庫を一体に組み合わせて構成される。具体的には、宅配ボックス１０Ｊは、２行２列で配列された４つの庫室１３を備えている。下段２つの庫室１３の構成は、第１実施形態の宅配ボックス１０Ａと同様である。ここでは、下段２つの庫室１３について、幅方向Ｘの中央に位置する１枚の金属板が電波反射面である側面１２ｃ，１２ｄを形成している。
【００５３】  上段左側に配置されている庫室１３は、底面１２ｂのスペーサ部材２０に加えて、幅方向Ｘの一方側の側面１２ｃにもスペーサ部材２２が設けられている。そして、スペーサ部材２２において庫室１３に面した表面に、２つの無線読取装置１８が上下に間隔を空けて配置されている。このように１つの庫室１３内に複数の無線読取装置１８を異なる向き（または角度）で設けることで、庫室１３内に収納された複数の荷物２の無線ＩＤタグ４から個体識別情報をより正確に読み取ることが可能になる。
【００５４】  上段右側に配置されている庫室１３には、収納空間を上下２段に仕切る棚板４６が着脱可能に設けられている。棚板４６は、例えば樹脂等の誘電体で構成されている。棚板４６の幅方向Ｘの一端は側面１２ｃに突設された段部４８上に載置されて支持されている。他方、棚板４６の幅方向Ｘの他端は、庫室１３の側面１２ｄの全面を覆って設けられたスペーサ部材２３の溝２３ａに嵌め込まれて支持されている。スペーサ部材２３もまた、例えば、樹脂等の誘電体により構成されている。なお、上記段部４８に代えて、側面１２ｃにスペーサ部材を配置し、このスペーサ部材に形成された溝に棚板４６の一端を嵌め込んで支持してもよい。あるいは、上記溝２３ａに代えて、側面１２ｄに段部を突設し、棚板４８の両端が段部に載置されて支持される構成としてもよい。
【００５５】  このように庫室１３の側面１２ｄに設けたスペーサ部材２３を棚板４６の支持部材として兼用することで、棚板４６の取付構造をより簡単なものすることができる。また、棚板４６を誘電体で構成することで、庫室１３の上面近傍に設けられた無線読取装置１８によって、上下２段に仕切られた収納空間の下側に収納された荷物２についても無線ＩＤタグ４からの個体識別情報を読み取ることができる。
【００５６】  図１２は、第９実施形態の宅配ボックス１０Ｋを示す図である。以下では、上述した各実施形態の宅配ボックス１０Ａ−１０Ｊと同一構成には同一符号を付して説明を省略する。
【００５７】  図１２に示すように、宅配ボックス１０Ｋは、庫室１３の幅方向Ｘの両側面１２ｃ，１２ｄにスペーサ部材２２，２３が設置されるとともに、奥行き方向Ｙの奥面１２ｅにもスペーサ部材が設置されている。また、扉１４（図７参照）の内面１４ａにもスペーサ部材が設置されている。すなわち、庫室１３に面する壁面１２ａ−１２ｅと扉内面１４ａの全てにスペーサ部材２０，２２，２３等が設置されている。本実施形態では、無線読取装置１８を取り付ける取付部材１６もまた、スペーサ部材２０等と同様に構成されている。そして、これらのスペーサ部材２０，２２，２３等は誘電体で構成されるとともに、内部に誘電体の断熱材が充填されている。これにより、第１実施形態の宅配ボックス１０Ａと同様の効果を奏することができ、また、庫室１３内が外部から断熱されることで、庫室１３に収納された荷物２に対する外気温度の影響を抑制することができる。
【００５８】  図１３は、第１０実施形態の宅配ボックスを示す（ａ）正面図および（ｂ）Ｃ−Ｃ断面図である。以下では、上述した各実施形態の宅配ボックス１０Ａ−１０Ｋと同一構成には同一符号を付して説明を省略する。
【００５９】  図１３（ａ），（ｂ）に示すように、宅配ボックス１０Ｌは、庫室１３に面する全ての壁面に断熱性を有するスペーサ部材２０，２２，２３等が設けられている。具体的には、庫室１３の上面１２ａには断熱性を有し且つ誘電体からなるスペーサ部材である取付部材１６が配置されている。庫室１３の底面１２ｂには、断熱性を有し且つ誘電体からなるスペーサ部材２０が配置されている。庫室１３の側面１２ｃ，１２ｄには、断熱性を有し且つ誘電体からなるスペーサ部材２２，２３が配置されている。庫室１３の奥面１２ｅには、断熱性を有し且つ誘電体からなるスペーサ部材１９が配置されている。そして、扉１４の内面には、断熱性を有し且つ誘電体からなるスペーサ部材１７が配置されている。
【００６０】  また、庫室１３の奥面１２ｅの中央には、冷却装置５０が庫室１３に臨んで設置されている。冷却装置５０は、制御部３０から電力供給されるとともに冷却温度が制御されるようになっている。
【００６１】  このように本実施形態の宅配ボックス１０Ｌでは、冷却装置５０が設けられていることで、低温保存が必要な例えば食品等の荷物２を収納するのに適している。この場合、冷却装置５０は常時作動していても良いし、あるいは、無線読取装置１８によって読み取られた個体識別情報に「低温保存要」の情報が含まれる場合に、制御部３０は冷却装置５０を作動させて庫室１３内の所望の温度に冷却するように構成してもよい。
【００６２】  上述したように各実施形態は、庫室内面が電波反射面で形成された函状の宅配ボックス１０Ａ−１０Ｌであって、電波反射面から離した状態で庫室１３内に設けられ、庫室内の荷物２に付けられた無線ＩＤタグ４に記録された情報を読み取る無線読取装置１８と、庫室内面のうち少なくとも底面１２ｂを構成する電波反射面の全面又は一部を覆って配置されている誘電体からなるスペーサ部材２０とを備える。
【００６３】  この構成によれば、庫室１３の上部に設けた無線読取装置１８によって、庫室１３に収納された複数の荷物２にそれぞれ付けられている無線ＩＤタグ４から個体識別情報を正確に読み取ることができる。この場合、誘電体からなるスペーサ部材２０が庫室１３の底面１２ｂに配置されている。そのため、最下位置の荷物２が無線ＩＤタグを下に向けた状態で収納された場合でも、無線読取装置１８から放射された電波がスペーサ部材２０を透過して底面１２ｂで反射することにより無線ＩＤタグ４に到達することができる。その結果、最下位置の荷物２の収納状態にかかわらず個体識別情報の読み出しを行うことができる。
【００６４】  本開示の第８実施形態である宅配ボックス１０Ｊのように、無線読取装置１８が異なる向きで複数設けられていてもよい。この構成によれば、庫室１３内に収納された複数の荷物２の無線ＩＤタグ４から個体識別情報をより正確に読み取ることが可能になる。
【００６５】  また、本開示の第８実施形態である宅配ボックス１０Ｊのように、庫室１３内を仕切る誘電体からなる棚板４６が設けられ、棚板４６を取り付ける取付部の一部又は全部がスペーサ部材２３に形成されていてもよい。この構成によれば、棚板４６の取付構造をより簡単なものすることができる。
【００６６】  また、本開示の第９実施形態の宅配ボックス１０Ｋのように、庫室１３の内面に断熱材が設けられていてもよい。この場合、スペーサ部材に断熱材が充填されてもよいし、あるいは、スペーサ部材自体が断熱性を有していてもよい。この構成によれば、庫室１３内が外部から断熱されることで、庫室１３に収納された荷物２に対する外気温度の影響を抑制することができる。
【００６７】  さらに、本開示の第６〜８実施形態の宅配ボックス１０Ｈ，１０Ｉ，１０Ｊのように、複数の庫室１３が組み合わされて構成されてもよい。この構成によれば、収納能力が大きな宅配ボックスを提供できる。
【００６８】  なお、本開示に係る宅配ボックスは、上述した実施形態およびその変形例に限定されるものではなく、本願の特許請求の範囲に記載された事項の範囲内において種々の変更や改良が可能である。
【００６９】  例えば、上記においては、無線読取装置１８を庫室１３の上部に設ける場合について説明したが、これに限定されない。図１４（ａ）に示す宅配ボックス１０Ｍのように、庫室１３の底面１２ｂを覆って設けられたスペーサ部材２０上に無線読取装置１８を設置してもよい。この場合、図１４（ｂ）に示す宅配ボックス１０Ｎのように、庫室１３の底面１２ｂに加えて、庫室１３の上面１２ａおよび側面１２ｃ，１２ｄ等にもスペーサ部材２１，２２，２３を設けてもよい。
【００７０】  また、スペーサ部材２０は、弾力性を有してもよい。これにより、庫室１３に収納される荷物２の箱や無線ＩＤタグ４が損傷しにくくなる利点がある。
【符号の説明】
【００７１】  ２  荷物（庫室内収納物）、４  無線ＩＤタグ、１０Ａ−１０Ｎ  宅配ボックス、１２ａ  上面、１２ｂ  底面、１２ｃ，１２ｄ  側面、１２ｅ  奥面、１３  庫室、１４  扉、１４ａ  （扉）内面、１５  天井面、１６  取付部材、１７，１９，２０，２１，２２，２３  スペーサ部材、１８  無線読取装置、２３ａ  溝、２４ａ  凸部、２４ｂ  基板、３０  制御部、３２  電線、３４  電子錠、３６  電源線、３８  通信線、３９  信号線、４０  蓋部材、４２  制御室、４４  配線室、４６  棚板、４８  段部、５０  冷却装置。
【図１】
2019130643.tif 000003
【図２】
2019130643.tif 000004
【図３】
2019130643.tif 000005
【図４】
2019130643.tif 000006
【図５】
2019130643.tif 000007
【図６】
2019130643.tif 000008
【図７】
2019130643.tif 000009
【図８】
2019130643.tif 000010
【図９】
2019130643.tif 000011
【図１０】
2019130643.tif 000012
【図１１】
2019130643.tif 000013
【図１２】
2019130643.tif 000014
【図１３】
2019130643.tif 000015
【図１４】
2019130643.tif 000016
【国際調査報告】
2019130643.tif 000017
2019130643.tif 000018
2019130643.tif 000019
2019130643.tif 000020